(57)【要約】  ポリシ決定機能エンティティのアドレス指定方法は、第２のネットワークにより送信され、端末識別子ＵＥ・ＩＤを運ぶ、ポリシ決定機能エンティティを割り当てることを要求するメッセージを受信するステップと、予め登録されたポリシ決定機能エンティティのアドレス指定情報に従って、ＵＥ・ＩＤに対応するポリシ決定機能エンティティの識別子情報を得るステップであり、ポリシ決定機能エンティティのアドレス指定情報が、ＵＥ・ＩＤと、ポリシ決定機能エンティティの識別子情報の間の対応関係であり、ＵＥ・ＩＤに対応するポリシ決定機能エンティティが、第１のネットワーク構成要素によりアクセスされるポリシ決定機能エンティティであるステップと、ポリシ決定機能エンティティの得られた識別子情報を第２のネットワーク構成要素に送信するステップとを含む。
2010541344.tif 000002
【特許請求の範囲】
【請求項１】
ポリシ決定機能（ＰＤＦ）のアドレス指定方法であって、
ユーザ装置識別子（ＵＥ・ＩＤ）を含むＰＤＦ割当要求を第２のネットワーク構成要素（ＮＥ）から受信するステップと、
前記ＵＥ・ＩＤに関連するＰＤＦのＩＤ情報を、前記ＰＤＦの予め登録されたアドレス指定情報に従って得るステップであって、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、第１のＮＥによりアクセスされるステップと、
前記ＰＤＦの前記得られたＩＤ情報を前記第２のＮＥに送信するステップと、
を含む方法。
【請求項２】
前記ＰＤＦの前記アドレス指定情報が、前記第１のＮＥによりアクセスされる前記ＰＤＦの前記ＩＤ情報と、前記ＵＥのＩＤ、および公衆データネットワーク識別子（ＰＤＮ）との間の関連付けであり、
前記ＰＤＦ割当要求が、ＰＤＮ・ＩＤをも含み、
前記ＵＥ・ＩＤに関連する前記ＰＤＦの前記ＩＤ情報を得る処理が、前記ＵＥ・ＩＤおよびＰＤＮ・ＩＤに関連し、かつ前記第１のＮＥによりアクセスされる、前記ＰＤＦの前記ＩＤ情報を得るステップを含む、
請求項１に記載の方法。
【請求項３】
前記第１のＮＥによりアクセスされる前記ＰＤＦの前記ＩＤ情報が、前記第１のＮＥによりアクセスされる前記ＰＤＦのドメイン名および／またはアドレス情報である、
請求項２に記載の方法。
【請求項４】
前記ＵＥ・ＩＤに関連する前記ＰＤＦの前記ＩＤ情報を得るステップの前に、
ポリシ管理エンティティ（ＰＭＥ）により、前記ＰＤＦの前記アドレス指定情報を登録するステップと、
前記ＰＭＥにより、前記ＵＥ・ＩＤを含む前記ＰＤＦ割当要求を前記第２のＮＥから受信し、前記ＵＥ・ＩＤに関連する前記ＰＤＦの前記ＩＤ情報を得て、前記ＰＤＦの前記得られたＩＤ情報を前記第２のＮＥに送信するステップと、
をさらに含む、請求項１、２、又は３に記載の方法。
【請求項５】
前記ＰＤＦの前記アドレス指定情報を前記ＰＭＥにより登録するステップの前に、
前記第１のＮＥにより、前記ＰＤＦの前記アドレス指定情報を含む登録要求を前記ＰＭＥに送信するステップ、
をさらに含む、請求項４に記載の方法。
【請求項６】
前記第１のＮＥが、第１のポリシ実施点（ＰＥＰ）であり、
前記ＰＤＦの前記アドレス指定情報を含む前記登録要求を前記第１のＮＥにより前記ＰＭＥに送信する前記処理が、
前記第１のＰＥＰが、適切なＰＤＦを決定し、またはポリシ制御情報を前記ＰＤＦから得た後に、データ接続のセットアップのときに前記第１のＰＥＰにより、前記ＰＤＦの前記アドレス指定情報を含む前記登録要求を前記ＰＭＥに送信するステップを含む、
請求項５に記載の方法。
【請求項７】
前記ＰＤＦの前記アドレス指定情報を前記ＰＭＥにより登録するステップの前に、前記ＰＭＥにより、ＰＤＦ割当要求を前記第１のＮＥから受信し、ＰＤＦを前記第１のＮＥに割り当てるステップをさらに含み、
前記ＰＤＦの前記アドレス指定情報を前記ＰＭＥにより登録する前記処理が、前記ＰＭＥにより、前記割り当てられたＰＤＦの前記アドレス指定情報を登録するステップを含む、
請求項４記載の方法。
【請求項８】
前記ＰＤＦの前記アドレス指定情報を前記ＰＭＥにより登録するステップの前に、
データ接続のセットアップのときにＰＤＦにより、ポリシ制御要求を前記第１のＮＥから受信し、前記ＰＤＦの前記アドレス指定情報を含む登録要求を前記ＰＭＥに送信するステップをさらに含む、
請求項４に記載の方法。
【請求項９】
前記第１のＮＥが、第１のポリシ実施点（ＰＥＰ）であり、
前記ＰＤＦの前記アドレス指定情報を前記ＰＭＥにより登録するステップの前に、移動管理エンティティ（ＭＭＥ）により、前記ＰＤＦの前記ＩＤ情報を含むデータ接続セットアップの完了を示す確認メッセージを前記第１のＰＥＰから受信し、前記ＰＤＦの前記アドレス指定情報を含む登録要求を前記ＰＭＥに送信するステップをさらに含む、
請求項４に記載の方法。
【請求項１０】
前記第１のＮＥが、第１のポリシ実施点（ＰＥＰ）であり、
前記ＰＤＦの前記アドレス指定情報を前記ＰＭＥにより登録するステップの前に、
移動管理エンティティ（ＭＭＥ）により、前記ＰＭＥにより割り当てられた複数のＰＤＦのＩＤ情報を前記ＰＭＥにより受信し、ＰＤＦの前記ＩＤ情報を選択し、データ接続をセットアップするためにそれを前記第１のＰＥＰに送信するステップと、
前記ＭＭＥにより、データ接続セットアップの完了を示す確認メッセージを前記第１のＰＥＰから受信し、前記選択されたＰＤＦのアドレス指定情報を含む登録要求を前記ＰＭＥに送信するステップと、
をさらに含む、
請求項４に記載の方法。
【請求項１１】
前記第２のＮＥが、第２のＰＥＰ、または訪問先ＰＤＦであり、
前記ＵＥ・ＩＤを含む前記ＰＤＦ割当要求を前記第２のＮＥから受信する前記処理が、データ接続のセットアップのときに第２のＮＥにより、前記ＰＤＦ割当要求を前記ＰＭＥに送信するステップを含む、
請求項１、５、６、７、８、９、又は１０に記載の方法。
【請求項１２】
前記第２のＮＥがアプリケーション機能であり、
前記ＵＥ・ＩＤを含む前記ＰＤＦ割当要求を前記第２のＮＥから受信する前記処理が、前記アプリケーション機能がサービス情報を前記ＰＤＦに送信する必要があるときに、前記アプリケーション機能により、前記ＰＤＦ割当要求を前記ＰＭＥに送信するステップを含む、
請求項１、５、６、７、８、９、又は１０に記載の方法。
【請求項１３】
前記ＰＤＦの前記アドレス指定情報を前記ＰＭＥにより登録するステップの前に、
前記ＰＭＥにより、ホームＰＤＦのＩＤ情報、訪問先ＰＤＦのＩＤ情報、および前記ＵＥ・ＩＤを含む登録要求を受信するステップであって、前記訪問先ＰＤＦおよび前記ホームＰＤＦが、前記ＵＥの同じデータ接続に対応するステップ、
をさらに含み、
前記ＰＤＦの前記アドレス指定情報が、前記ホームＰＤＦの前記ＩＤ情報と、前記訪問先ＰＤＦの前記ＩＤ情報と、前記ＵＥ・ＩＤの間のマッピング関係であり、
前記ＰＤＦ割当要求を前記第２のＮＥから受信する前記処理が、
前記ホームＰＤＦおよび／または訪問先ＰＤＦを割り当てる要求を前記第２のＮＥから受信するステップ、を含む、
請求項４に記載の方法。
【請求項１４】
ネットワーク構成要素（ＮＥ）であって、
ユーザ装置識別子（ＵＥ・ＩＤ）を含むポリシ決定機能（ＰＤＦ）割当要求を受信するように構成されたＰＤＦ要求受信ユニットと、
前記ＰＤＦの予め登録されたアドレス指定情報に従って、前記ＵＥ・ＩＤに関連するＰＤＦのＩＤ情報を得るように構成されたＰＤＦ・ＩＤ情報入手ユニットであって、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、前記第１のＮＥによりアクセスされるユニットと、
前記ＰＤＦの前記得られたＩＤ情報を出力するように構成されたＰＤＦ・ＩＤ情報出力ユニットと、
を備えるネットワーク構成要素。
【請求項１５】
前記ＰＤＦの前記アドレス指定情報を登録するように構成された登録ユニット
をさらに備える、請求項１４に記載のネットワーク構成要素。
【請求項１６】
前記ＰＤＦの前記アドレス指定情報を含む登録要求を受信するように構成された登録要求受信ユニットと、
前記ＰＤＦの前記アドレス指定情報を含む前記登録要求を受信した後に、前記ＰＤＦの前記アドレス指定情報を登録するように構成された前記登録ユニットと、
をさらに備える、請求項１５に記載のネットワーク構成要素。
【請求項１７】
前記ＰＤＦを割り当てるように構成された割当ユニットと、
前記割り当てられたＰＤＦのＩＤ情報、および前記ＵＥ・ＩＤに従って、前記ＰＤＦの前記アドレス指定情報を登録するように構成された前記登録ユニットと、
をさらに備える、請求項１５に記載のネットワーク構成要素。
【請求項１８】
ポリシ管理エンティティ（ＰＭＥ）と、第２のネットワーク構成要素（ＮＥ）とを備えるネットワークシステムであって、
前記ＰＭＥが、ユーザ装置識別子（ＵＥ・ＩＤ）を含むポリシ決定機能（ＰＤＦ）割当要求を第２のＮＥから受信し、前記ＰＤＦの予め登録されたアドレス指定情報に従って、前記ＵＥ・ＩＤに関連するＰＤＦのＩＤ情報を得るように構成され、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、第１のＮＥによりアクセスされ、前記ＰＭＥが、前記ＰＤＦの前記得られたＩＤ情報を前記第２のＮＥに送信するように構成され、
前記第２のＮＥが、前記ＰＤＦ割当要求を前記ＰＭＥに送信し、前記ＰＭＥから送信された前記ＰＤＦの前記ＩＤ情報を受信するように構成されたネットワークシステム。
【請求項１９】
第１のＮＥをさらに備え、
前記第１のＮＥが、前記ＰＤＦの前記アドレス指定情報を含む登録要求を前記ＰＭＥに送信するように構成され、
前記ＰＭＥが、前記登録要求を受信した後に、前記ＰＤＦの前記アドレス指定情報を登録するようにさらに構成された、
請求項１８に記載のネットワークシステム。
【請求項２０】
第１のＮＥをさらに備え、
前記第１のＮＥが、ＰＤＦ割当要求を前記ＰＭＥに送信するように構成され、
前記ＰＭＥが、前記受信されたＰＤＦ割当要求でＵＥ・ＩＤに従って、ＰＤＦのアドレス指定情報が全く登録されていないと判断したときに、ＰＤＦを前記第１のＮＥに割り当て、前記割り当てられたＰＤＦの前記アドレス指定情報を登録するようにさらに構成された、
請求項１８に記載のネットワークシステム。
【発明の詳細な説明】
【技術分野】
【０００１】
関連出願の相互参照
本出願は、参照により本明細書に全部組み込まれる、２００７年９月３０日に中国特許庁に出願された「ポリシ決定機能のアドレス指定方法、ネットワーク構成要素、およびネットワークシステム」と題する中国特許出願第２００７１０１５１３８３．２号、ならびに２００７年１０月３１日に中国特許庁に出願された「ポリシ決定機能のアドレス指定方法、ネットワーク構成要素、およびネットワークシステム」と題する中国特許出願第２００７１０１６６４２７．９号の優先権を主張する。
本発明は、通信技術に関し、詳細には、ポリシ決定機能（ＰＤＦ）のアドレス指定方法、ネットワーク構成要素（ＮＥ）、およびネットワークシステムに関する。
【背景技術】
【０００２】
現在のネットワークシステムでは、ポリシ／課金制御（ｐｏｌｉｃｙ  ａｎｄ  ｃｈａｒｇｉｎｇ  ｃｏｎｔｒｏｌ、ＰＣＣ）プロトコルを使用して、ユーザ装置（ＵＥ）とパケット・データ・ネットワーク・ゲートウェイの間のデータサービスに対するサービス品質（ＱｏＳ）制御、および課金制御を遂行する。ＰＤＦは、データサービスに対するＱｏＳ制御および課金制御を遂行するためのポリシ制御情報を生成するために使用されるエンティティである。ゲートウェイ（アクセスゲートウェイ、またはパケット・データ・ネットワーク・ゲートウェイ）が、ポリシ実施点（ｐｏｌｉｃｙ  ｅｎｆｏｒｃｅｍｅｎｔ  ｐｏｉｎｔ、ＰＥＰ）である。ゲートウェイは、ポリシ制御情報をＰＤＦから得て、次に、得られたポリシ制御情報に従って、ＵＥとパケット・データ・ゲートウェイ（公衆データ網ゲートウェイ（ＰＤＮ・ＧＷ）とも呼ばれる）の間のデータサービスに対するＱｏＳ制御および課金制御を遂行する。
【０００３】
従来技術では、ＵＥが、一方がゲートウェイ１に接続され、他方がゲートウェイ２に接続される、２つのデータ接続を必要とすることがある。ゲートウェイ１およびゲートウェイ２が、ＵＥの識別子（ＵＥ・ＩＤ）、および公衆データ網（ＰＤＮ）のＩＤに従って、ＰＤＦにアクセスする。ゲートウェイ１およびゲートウェイ２が、同じＰＤＦにアクセスしないことがある。
【発明の概要】
【発明が解決しようとする課題】
【０００４】
従来技術の研究および実践の間に、本発明者が以下の問題を見いだした。すなわち、従来技術の技術的解決策では、ＰＤＦにアクセスすることを望むＮＥが、同じＵＥのデータ接続で同じＰＤＦにアクセスすることができない。
【課題を解決するための手段】
【０００５】
本発明の実施形態の目的は、ポリシ決定機能（ＰＤＦ）のアドレス指定方法、ネットワーク構成要素（ＮＥ）、およびネットワークシステムを提供して、ＰＤＦにアクセスすることを望むＮＥが、同じＵＥのデータ接続で同じＰＤＦにアクセスすることができることを保証することである。
【０００６】
上記の目的を達成するために、本発明の実施形態が、以下の技術的解決策を提供する。
【０００７】
ＰＤＦアドレス指定方法が、
ＵＥ識別子（ＵＥ・ＩＤ）を含むＰＤＦ割当要求を第２のＮＥから受信するステップと、
ＰＤＦの予め登録されたアドレス指定情報に従って、ＵＥ・ＩＤに関連するＰＤＦのＩＤ情報を得るステップであって、ＰＤＦのアドレス指定情報がＵＥ・ＩＤと、ＰＤＦのＩＤ情報の間の関連付けであり、ＵＥ・ＩＤに関連するＰＤＦが第１のＮＥによりアクセスされるステップと、
ＰＤＦの得られたＩＤ情報を第２のＮＥに送信するステップと、
を含む。
【０００８】
ネットワーク構成要素（ＮＥ）が、
ＵＥ・ＩＤを含むＰＤＦ割当要求を受信するように構成されたＰＤＦ要求受信ユニットと、
ＰＤＦの予め登録されたアドレス指定情報に従って、ＵＥ・ＩＤに関連するＰＤＦのＩＤ情報を得るように構成されたＰＤＦ情報入手ユニットであって、ＰＤＦのアドレス指定情報が、ＵＥ・ＩＤと、ＰＤＦのＩＤ情報の間の関連付けであり、ＵＥ・ＩＤに関連するＰＤＦが、第１のＮＥによりアクセスされるユニットと、
ＰＤＦの得られたＩＤ情報を出力するように構成されたＰＤＦ・ＩＤ情報出力ユニットと、
を含む。
【０００９】
ネットワークシステムが、ポリシ管理エンティティ（ＰＭＥ）および第２のＮＥを含み、
ＰＭＥが、ＵＥ・ＩＤを含むＰＤＦ割当要求を第２のＮＥから受信し、ＰＤＦの予め登録されたアドレス指定情報に従って、ＵＥ・ＩＤに関連するＰＤＦのＩＤ情報を得るように構成され、ＰＤＦのアドレス指定情報が、ＵＥ・ＩＤと、ＰＤＦのＩＤ情報の間の関連付けであり、ＵＥ・ＩＤに関連するＰＤＦが、第１のＮＥによりアクセスされ、ＰＭＥが、ＰＤＦの得られたＩＤ情報を第２のＮＥに送信するように構成され、
第２のＮＥが、ＰＤＦ割当要求をＰＭＥに送信し、ＰＭＥから送信されるＰＤＦのＩＤ情報を受信するように構成される。
【００１０】
上記の技術的解決策のうちのどれでも、以下の利点をもたらすことがある。
【００１１】
本発明の実施形態では、ＰＤＦ割当要求が第２のＮＥから受信された後に、ＰＤＦの予め登録されたアドレス指定情報に従って、ＵＥ・ＩＤに関連するＰＤＦのＩＤ情報、すなわち、第１のＮＥによりアクセスされたＰＤＦのＩＤ情報が得られ、次に、ＰＤＦの得られたＩＤ情報が、第２のＮＥに送信され、その結果、第２のＮＥおよび第１のＮＥが同じＰＤＦにアクセスする。したがって、同じＵＥのデータ接続に対して、ＰＤＦにアクセスすることを望む異なるＮＥが、同じＰＤＦにアクセスすることがある。
【図面の簡単な説明】
【００１２】
【図１】本発明の第１の実施形態によるＰＤＦアドレス指定方法の流れ図である。
【図２】本発明の第２の実施形態によるＰＤＦアドレス指定方法の流れ図である。
【図３】本発明の第３の実施形態によるＰＤＦアドレス指定方法の流れ図である。
【図４】本発明の第４の実施形態によるＰＤＦアドレス指定方法の流れ図である。
【図５】本発明の第５の実施形態によるＰＤＦアドレス指定方法の流れ図である。
【図６】本発明の第６の実施形態によるＰＤＦアドレス指定方法の流れ図である。
【図７】本発明の第７の実施形態によるＰＤＦアドレス指定方法の流れ図である。
【図８】本発明の第８の実施形態によるＰＤＦアドレス指定方法の流れ図である。
【図９】本発明の第９の実施形態によるＰＤＦアドレス指定方法の流れ図である。
【図１０】本発明の第１０の実施形態によるＰＤＦアドレス指定方法の流れ図である。
【図１１】本発明の第１１の実施形態によるＰＤＦアドレス指定方法の流れ図である。
【図１２】本発明の第１２の実施形態によるＮＥの構造を示す図である。
【図１３】本発明の第１３の実施形態によるＮＥの構造を示す図である。
【図１４】本発明の第１４の実施形態によるＮＥの構造を示す図である。
【発明を実施するための形態】
【００１３】
本発明の一実施形態によるＰＤＦアドレス指定方法が、ＵＥ・ＩＤを含むＰＤＦ割当要求を第２のＮＥから受信するステップと、ＰＤＦの予め登録されたアドレス指定情報に従って、ＵＥ・ＩＤに関連するＰＤＦのＩＤ情報を得るステップであって、ＰＤＦのアドレス指定情報が、ＵＥ・ＩＤと、ＰＤＦのＩＤ情報の間の関連付けであり、ＵＥ・ＩＤに関連するＰＤＦが、第１のＮＥによりアクセスされるステップと、ＰＤＦの得られたＩＤ情報を第２のＮＥに送信するステップとを含む。ＰＤＦのＩＤ情報は、ＰＤＦのドメイン名、および／またはＰＤＦのアドレス情報のことがある。第１のＮＥは、アクセスゲートウェイ、ＰＤＮ・ＧＷ、または訪問先ネットワーク内のＰＤＦ（以下では、「訪問先ＰＤＦ」とも呼ばれる）でもよい。第２のＮＥは、アクセスゲートウェイ、ＰＤＮ・ＧＷ、訪問先ＰＤＦ、またはアプリケーション機能でもよい。アクセスゲートウェイ、およびＰＤＮ・ＧＷがＰＥＰである。
【００１４】
図１は、本発明の第１の実施形態によるＰＤＦアドレス指定方法を示す。この方法は、非３ＧＰＰアクセスゲートウェイが、３ＧＰＰシステム・アーキテクチャ・エボリューション（ＳＡＥ）ネットワーク上で使用されるシナリオに適用可能である。非３ＧＰＰアクセスネットワークのアクセスゲートウェイが、非３ＧＰＰアクセスネットワークのＰＥＰである。ＰＤＮ・ＧＷが、ＳＡＥネットワークのコアゲートウェイである。コアネットワークのＰＥＰなので、ＰＤＦがポリシ制御情報を生成する責任がある。ＰＤＦはまた、課金機能を統合して、ポリシ／課金規則機能（ｐｏｌｉｃｙ  ａｎｄ  ｃｈａｒｇｉｎｇ  ｒｕｌｅｓ  ｆｕｎｃｔｉｏｎ、ＰＣＲＦ）として機能することもある。この実施形態では、ＰＤＦが課金制御機能を統合することも、統合しないこともある。この方法では、まず、ＵＥがローカルネットワーク内のローカル接続をセットアップし、次に、ＰＤＮ・ＧＷとのデータ接続をセットアップする。ＰＭＥが追加される。ＰＭＥは、ＰＣＲＦのアドレス指定情報を維持するように構成される。この方法は以下のステップを含む。
【００１５】
ステップ１０１：  ＵＥが、ローカル接続セットアップ要求をアクセスゲートウェイに送信する。
ステップ１０２：  アクセスゲートウェイがＰＭＥと対話して、ＰＣＲＦのアドレスを要求する。
【００１６】
具体的には、このステップは以下の通りである。すなわち、アクセスゲートウェイが、ＰＤＦアドレス割当要求をＰＭＥに送信する。この場合、要求はＵＥ・ＩＤ、またはＵＥ・ＩＤおよびＰＤＮ・ＩＤを含む。ＰＭＥがＵＥ・ＩＤ、またはＵＥ・ＩＤおよびＰＮＤ・ＩＤに従って、マッチするＰＤＦのアドレスを探索する。マッチするＰＤＦが見つかった場合、ＰＭＥが、ＰＤＦのアドレスをアクセスゲートウェイに送り返す。そうでない場合、ＰＭＥが、適切なＰＤＦをＵＥに割り当て、割り当てられたＰＤＦのアドレスをアクセスゲートウェイに送り返す、またはＰＭＥが、ＰＣＲＦアドレス要求失敗をアクセスゲートウェイに送り返して、アクセスゲートウェイに自分のＰＣＲＦを選択するよう通知する。ＰＤＦの上記の送り返されたアドレスは、ＰＣＲＦのアドレスである。
【００１７】
ステップ１０３：  アクセスゲートウェイがＰＣＲＦと対話して、ポリシ制御情報を得る。
【００１８】
このステップでは、アクセスゲートウェイは、ＰＭＥから送信されたＰＣＲＦのアドレスに従って、ＰＣＲＦを見つけ出し、ポリシ制御情報をＰＣＲＦから得る。ＰＭＥがＰＣＲＦアドレス要求失敗をアクセスゲートウェイに送り返す場合、アクセスゲートウェイが、適切なＰＣＲＦを選択し、ポリシ制御情報を選択されたＰＣＲＦから得る。
【００１９】
ステップ１０４：  アクセスゲートウェイが、ＰＣＲＦのアドレス指定情報をＰＭＥに登録する。
【００２０】
ＰＣＲＦのアドレス指定情報は、ＵＥ・ＩＤと、ＰＣＲＦのアドレスの間の関連付けのことも、ＵＥ・ＩＤと、ＰＤＮ・ＩＤと、ＰＣＲＦの間の関連付けのこともある。
【００２１】
具体的には、ステップ１０４は以下の通りである。すなわち、アクセスゲートウェイが、ＰＣＲＦのアドレス指定情報を含む登録要求をＰＭＥに送信し、ＰＭＥがＰＣＲＦのアドレス指定情報を登録する。
【００２２】
ＰＭＥが、ステップ１０２でマッチするＰＤＦを見つけ出せず、適切なＰＤＦをＵＥに割り当て、またはＰＣＲＦアドレス要求失敗をアクセスゲートウェイに送り返して、アクセスゲートウェイに自分のＰＣＲＦを選択するよう通知する場合、アクセスゲートウェイが、ステップ１０３およびステップ１０４の前に適切なＰＣＲＦを選択する必要がある。
【００２３】
ＰＭＥが、ＵＥ・ＩＤ、またはＵＥ・ＩＤおよびＰＤＮ・ＩＤに従って、マッチするＰＣＲＦを見つけ出し、ＰＣＲＦのアドレスをアクセスゲートウェイに送信する、もしくはステップ１０２でＰＣＲＦのアドレスをアクセスゲートウェイに割り当てる場合、ＰＭＥが、ステップ１０２でＰＣＲＦのアドレス指定情報を記憶することもある。この場合、ステップ１０４は任意選択である。
【００２４】
ステップ１０５：  アクセスゲートウェイが、ローカル接続セットアップの完了を示す確認メッセージをＵＥに送信する。
ステップ１０６：  ＵＥが、データ接続セットアップ要求をＰＤＮ・ＧＷに送信する。
ステップ１０７：  ＰＤＮ・ＧＷがＰＭＥにアクセスして、ＰＣＲＦのアドレスを要求し、ＰＭＥが、ＰＣＲＦのアドレスをＰＤＮ・ＧＷに送信する。
【００２５】
具体的には、このステップは以下の通りである。すなわち、ＰＤＮ・ＧＷが、ＰＤＦのアドレス要求をＰＭＥに送信する。この場合、要求はＵＥ・ＩＤを含む。ＰＭＥが、ＰＣＲＦの予め登録されたアドレス指定情報に従って、ＵＥ・ＩＤに関連するＰＣＲＦのアドレスを得て、ＰＣＲＦのアドレスをＰＤＮ・ＧＷに送信する。
【００２６】
ステップ１０８：  ＰＤＮ・ＧＷがＰＣＲＦと対話して、ポリシ制御情報を得る。
ステップ１０９：  ＰＤＮ・ＧＷが、データ接続セットアップの完了を示す確認メッセージをＵＥに送信する。
【００２７】
本発明の第１の実施形態では、ＰＤＦアドレス割当要求をＰＤＮ・ＧＷから受信した後に、ＰＭＥが、ＰＤＦの予め登録されたアドレス指定情報に従って、ＵＥ・ＩＤに関連するＰＤＦのアドレス（アクセスゲートウェイによりアクセスされるＰＤＦのアドレス）を得る。次に、ＰＭＥが、ＰＤＦの得られたアドレスをＰＤＮ・ＧＷに送信する。したがって、ＰＤＮ・ＧＷおよびアクセスゲートウェイが、同じＰＤＦにアクセスして、同じＵＥのデータ接続内のデータストリームに対してポリシ制御を遂行することができる。
【００２８】
図２は、本発明の第２の実施形態によるＰＤＦアドレス指定方法を示す。この方法は、３カ所以上のＰＥＰを有する移動ネットワークに適用可能である。各ＰＥＰがＰＤＦと対話して、ポリシ制御情報を得る必要がある。すなわち、同じＩＰ−ＣＡＮ（ＩＰ−ｃｏｎｎｅｃｔｉｖｉｔｙ  ａｃｃｅｓｓ  ｎｅｔｗｏｒｋ）が同じＰＤＦに接続される。この方法は、アクセスゲートウェイを仮定するデータ接続処理を記述し、コアゲートウェイがＰＥＰである。このＰＤＦアドレス指定方法は、以下のステップを含む。
【００２９】
ステップ２０１：  ＵＥが、接続セットアップ要求をアクセスゲートウェイに送信する。
ステップ２０２：  アクセスゲートウェイがＰＭＥと対話して、ＰＤＦのアドレスを要求する。
【００３０】
具体的には、このステップは以下の通りである。すなわち、アクセスゲートウェイが、ＰＤＦアドレス割当要求をＰＭＥに送信する。この場合、要求は、ＵＥ・ＩＤ、またはＵＥ・ＩＤおよびＰＤＮ・ＩＤを含む。ＰＭＥが、ＵＥ・ＩＤ、またはＵＥ・ＩＤおよびＰＤＮ・ＩＤに従って、マッチするＰＤＦを探索する。マッチするＰＤＦが見つかった場合、ＰＭＥが、ＰＤＦのアドレスをアクセスゲートウェイに送り返す。そうでない場合、ＰＭＥが、アクセスゲートウェイが選択するための１つまたは複数の適切なＰＤＦをＵＥに割り当て、割り当てられたＰＤＦのアドレスをアクセスゲートウェイに送り返す、またはＰＭＥが、要求失敗をアクセスゲートウェイに送り返して、自分でＰＤＦを選択するようアクセスゲートウェイに通知する。
【００３１】
ステップ２０３：  アクセスゲートウェイがＰＤＦと対話して、ポリシ制御情報を得る。
ステップ２０４：  アクセスゲートウェイが、ＰＤＦのアドレス指定情報をＰＭＥに登録する。
【００３２】
アクセスゲートウェイが、ステップ２０２およびステップ２０３で自分のＰＤＦを選択する場合、ステップ２０４は必須である。そうでない場合、ステップ２０４は任意選択であり、ＰＭＥが、ＰＤＦのアドレスを割り当てた後に、ＰＤＦのアドレス指定情報を自動的に登録することがある。
【００３３】
ＰＤＦのアドレス指定情報は、ＵＥ・ＩＤと、ＰＤＦのアドレスの間の関連付け、またはＵＥ・ＩＤと、ＰＤＮ・ＩＤと、ＰＤＦのアドレスの間の関連付けである。
【００３４】
ステップ２０５：  アクセスゲートウェイが、接続セットアップ要求をコアゲートウェイに送信する。
ステップ２０６：  コアゲートウェイがＰＭＥと対話して、ＰＤＦのアドレスを要求する。
【００３５】
具体的には、このステップは以下の通りである。すなわち、コアゲートウェイが、ＵＥ・ＩＤを含むＰＤＦアドレス割当要求をＰＭＥに送信する。ＰＭＥが、ＰＤＦの予め登録されたアドレス指定情報に従って、ＵＥ・ＩＤに関連するＰＤＦのアドレスを得て、ＰＤＦの得られたアドレスをコアゲートウェイに送信する。
【００３６】
ステップ２０７：  コアゲートウェイがＰＤＦと対話して、ポリシ制御情報を得る。
ステップ２０８：  コアゲートウェイが、接続セットアップの完了を示す確認メッセージをアクセスゲートウェイに送信する。
ステップ２０９：  アクセスゲートウェイが、接続セットアップの完了を示す確認メッセージをＵＥに送信する。
【００３７】
本発明の第２の実施形態では、ＰＤＦアドレス割当要求をコアゲートウェイから受信した後に、ＰＭＥが、ＰＤＦの予め登録されたアドレス指定情報に従って、ＵＥ・ＩＤに関連するＰＤＦのアドレス（アクセスゲートウェイによりアクセスされるＰＤＦのアドレス）を得る。次に、ＰＭＥが、ＰＤＦの得られたアドレスをコアゲートウェイに送信する。したがって、コアゲートウェイおよびアクセスゲートウェイが、同じＰＤＦにアクセスして、同じＵＥのデータ接続内のデータストリームに対してポリシ制御を遂行することができる。
【００３８】
図３は、本発明の第３の実施形態によるＰＤＦアドレス指定方法を示す。第３の実施形態と第２の実施形態の違いは、以下の通りである。すなわち、コアネットワークがＰＤＦと対話し、次に、ＰＤＦのアドレス指定情報をＰＭＥに登録する。この方法は以下のステップを含む。
【００３９】
ステップ３０１：  ＵＥが、接続セットアップ要求をアクセスゲートウェイに送信する。
ステップ３０２：  アクセスゲートウェイが、接続セットアップ要求をコアゲートウェイに送信する。
ステップ３０３：  コアゲートウェイがＰＭＥと対話して、ＰＤＦのアドレスを要求する。
【００４０】
具体的には、このステップは以下の通りである。すなわち、コアゲートウェイが、ＰＤＦアドレス割当要求をＰＭＥに送信する。この要求は、ＵＥ・ＩＤ、またはＵＥ・ＩＤおよびＰＤＮ・ＩＤを含む。ＰＭＥが、ＵＥ・ＩＤ、またはＵＥ・ＩＤおよびＰＤＮ・ＩＤに従って、マッチするＰＤＦを探索する。マッチするＰＤＦが見つかった場合、ＰＭＥがＰＤＦのアドレスをコアゲートウェイに送り返す。そうでない場合、ＰＭＥが、コアゲートウェイが選択するための１つまたは複数の適切なＰＤＦをＵＥに割り当て、割り当てられたＰＤＦのアドレスをコアゲートウェイに送り返す、またはＰＭＥが要求失敗をコアゲートウェイに送り返して、自分でＰＤＦを選択するようコアゲートウェイに通知する。
【００４１】
このステップはまた、省略されることがある。この場合、コアネットワークが自分のＰＤＦを選択するが、ステップ３０５が実行される必要がある。
【００４２】
ステップ３０４：  コアゲートウェイがＰＤＦと対話して、ポリシ制御情報を得る。
ステップ３０５：  コアゲートウェイが、ＰＤＦのアドレス指定情報をＰＭＥに登録する。
【００４３】
コアネットワークが自分のＰＤＦを選択し、ステップ３０４でＰＤＦと対話して、ポリシ制御情報を得る場合、ステップ３０５は必須である。そうでない場合、ステップ３０５は任意選択であり、ＰＭＥが、ＰＤＦのアドレスを割り当てた後に、ＰＤＦのアドレス指定情報を自動的に登録することがある。
【００４４】
ステップ３０６：  コアゲートウェイが、接続セットアップの完了を示す確認メッセージをアクセスゲートウェイに送信する。
ステップ３０７：  アクセスゲートウェイがＰＭＥと対話して、ＰＤＦのアドレスを要求する。
【００４５】
具体的には、このステップは以下の通りである。すなわち、アクセスゲートウェイが、ＵＥ・ＩＤ、またはＵＥ・ＩＤおよびＰＤＮ・ＩＤを含むＰＤＦアドレス割当要求をＰＭＥ送信する。ＰＭＥが、ＰＣＲＦの予め登録されたアドレス指定情報に従って、ＵＥ・ＩＤ、またはＵＥ・ＩＤおよびＰＤＮ・ＩＤに関連するＰＣＲＦのアドレスを得て、ＰＣＲＦの得られたアドレスをアクセスゲートウェイに送信する。
【００４６】
ステップ３０８：  アクセスゲートウェイがＰＤＦと対話して、ポリシ制御情報を得る。
ステップ３０９：  アクセスゲートウェイが、接続セットアップの完了を示す確認メッセージをＵＥに送信する。
【００４７】
本発明の第３の実施形態では、ＰＤＦ割当要求をアクセスゲートウェイから受信した後に、ＰＭＥが、ＰＤＦの予め登録されたアドレス指定情報に従って、ＵＥ・ＩＤに関連するＰＤＦのアドレス（アクセスゲートウェイによりアクセスされるＰＤＦのアドレス）を得る。次に、ＰＭＥが、ＰＤＦの得られたアドレスをアクセスゲートウェイに送信する。したがって、コアゲートウェイおよびアクセスゲートウェイが、同じＰＤＦにアクセスして、同じＵＥのデータ接続内のデータストリームに対してポリシ制御を遂行することができる。
【００４８】
図４は、本発明の第４の実施形態によるＰＤＦアドレス指定方法を示す。第４の実施形態と第３の実施形態の違いは、以下の通りである。すなわち、コアネットワークがＰＤＦと対話し、次に、ＰＤＦのアドレス指定情報をＰＭＥに登録する。この場合、ＰＤＦのアドレス指定情報は、ＵＥ・ＩＤと、ＰＤＦのドメイン名の間の関連付けである。この方法は以下のステップを含む。
【００４９】
ステップ４０１：  ＵＥが、接続セットアップ要求をアクセスゲートウェイに送信する。
ステップ４０２：  アクセスゲートウェイが、接続セットアップ要求をコアゲートウェイに送信する。
ステップ４０３：  コアゲートウェイがＰＭＥと対話し、ＰＤＦを割り当てるようＰＭＥに要求する。
【００５０】
具体的には、このステップは以下の通りである。すなわち、コアゲートウェイが、ＵＥ・ＩＤ、またはＵＥ・ＩＤおよびＰＤＮ・ＩＤを含むＰＤＦ割当要求をＰＭＥに送信する。ＰＭＥが、ＵＥ・ＩＤ、またはＵＥ・ＩＤおよびＰＤＮ・ＩＤに従って、マッチするＰＤＦを探索する。マッチするＰＤＦが見つかった場合、ＰＭＥが、ＰＤＦのドメイン名をコアゲートウェイに送り返す。そうでない場合、ＰＭＥが、コアゲートウェイが選択するための１つまたは複数の適切なＰＤＦをＵＥに割り当て、割り当てられたＰＤＦのドメイン名をコアゲートウェイに送り返す、またはＰＭＥが要求失敗をコアゲートウェイに送り返して、自分でＰＤＦを選択するようコアゲートウェイに通知する。
【００５１】
このステップはまた、省略されることがある。この場合、コアネットワークが自分のＰＤＦを選択するが、ステップ４０５が実行される必要がある。
【００５２】
ステップ４０４：  コアゲートウェイがＰＤＦと対話して、ポリシ制御情報を得る。
ステップ４０５：  コアゲートウェイが、ＰＤＦのアドレス指定情報をＰＭＥに登録する。
【００５３】
コアネットワークが自分のＰＤＦを選択し、ステップ４０４でＰＤＦと対話して、ポリシ制御情報を得る場合、ステップ４０５は必須である。そうでない場合、ステップ４０５は任意選択であり、ＰＭＥが、ＰＤＦを割り当てた後に、ＰＤＦのアドレス指定情報を自動的に登録することがある。
【００５４】
ステップ４０６：  コアゲートウェイが、接続セットアップの完了を示す確認メッセージをアクセスゲートウェイに送信する。
ステップ４０７：  アクセスゲートウェイがＰＭＥと対話し、ＰＤＦを割り当てるようＰＭＥに要求し、ＰＭＥがＰＤＦのドメイン名をアクセスゲートウェイに送り返す。
【００５５】
具体的には、このステップは以下の通りである。すなわち、アクセスゲートウェイが、ＵＥ・ＩＤ、またはＵＥ・ＩＤおよびＰＤＮ・ＩＤを含むＰＤＦ割当要求をＰＭＥに送信する。ＰＭＥが、ＰＤＦの予め登録されたアドレス指定情報に従って、ＵＥ・ＩＤ、またはＵＥ・ＩＤおよびＰＤＮ・ＩＤに関連するＰＤＦのドメイン名を得て、ＰＤＦの得られたドメイン名をアクセスゲートウェイに送信する。
【００５６】
ステップ４０８：  アクセスゲートウェイがＰＤＦのドメイン名を受信し、ドメイン名解決サービスによりドメイン名に関連するＰＤＦのアドレス情報を解決する。
ステップ４０９：  アクセスゲートウェイがＰＤＦと対話して、ポリシ制御情報を得る。
【００５７】
この実施形態では、アクセスゲートウェイが、ＰＤＦのドメイン名に関連するアドレス情報を解決しないこともある。代わりに、アクセスゲートウェイがＰＤＦのドメイン名をエージェント（たとえば、中継エージェントおよびプロキシエージェント）に送信する。次に、エージェントが、ドメイン名解決サービスによりＰＤＦのドメイン名に関連するアドレス情報を解決し、次に、ＰＤＦと対話して、ポリシ制御情報を得て、得られたポリシ制御情報をアクセスゲートウェイに送信する。
【００５８】
ステップ４１０：  アクセスゲートウェイが、接続セットアップの完了を示す確認メッセージをＵＥに送信する。
【００５９】
本発明の第４の実施形態では、ＰＤＦ割当要求をアクセスゲートウェイから受信した後に、ＰＭＥが、ＰＤＦの予め登録されたアドレス指定情報に従って、ＵＥ・ＩＤに関連するＰＤＦのドメイン名（コアゲートウェイによりアクセスされるＰＤＦのドメイン名）を得る。次に、ＰＭＥが、ＰＤＦの得られたドメイン名をアクセスゲートウェイに送信する。したがって、コアゲートウェイおよびアクセスゲートウェイが、同じＰＤＦにアクセスして、同じＵＥのデータ接続内のデータストリームに対してポリシ制御を遂行することができる。本発明の他の実施形態では、ＰＤＦがドメイン名により特定されることもあり、ドメイン名に関連するアドレス情報が、ドメイン名解決サービスにより得られることがある。
【００６０】
図５は、本発明の第５の実施形態によるＰＤＦアドレス指定方法を示す。この方法は、ＳＡＥネットワークに適用可能である。ＰＤＦがＳＡＥネットワークのＰＣＲＦに含まれ、加入プロファイルレポジトリ（ｓｕｂｓｃｒｉｐｔｉｏｎ  ｐｒｏｆｉｌｅ  ｒｅｐｏｓｉｔｏｒｙ、ＳＰＲ）が、組込みＰＭＥを備えるＰＤＦ管理ＵＥである。ＵＥが複数のＰＤＮネットワークに接続するのをＳＡＥネットワークがサポートし、ＵＥが、第１のＰＤＮのゲートウェイ１（ＰＥＰ）、および第２のＰＤＮのゲートウェイ２（ＰＥＰ）を介して２つのＰＤＮネットワークとの２つのＩＰ−ＣＡＮ接続をセットアップする。したがって、同じＰＤＦが、同じＵＥの２つのＩＰ−ＣＡＮ接続を管理するために使用される。この方法は以下のステップを含む。
【００６１】
ステップ５０１：  ＵＥが、接続セットアップ要求をゲートウェイ１に送信して、第１のＰＤＮにアクセスする。
ステップ５０２：  ゲートウェイ１が、ＵＥ・ＩＤを含むポリシ制御要求をＰＣＲＦに送信する。
ステップ５０３：  ＰＣＲＦが、ポリシ制御要求に従って、ポリシ制御情報を生成し、ＰＣＲＦのアドレス指定情報をＳＰＲに登録する。
【００６２】
ＰＣＲＦのアドレス指定情報は、ＰＣＲＦのアドレスとＵＥ・ＩＤの間の関連付けである。
【００６３】
ステップ５０４：  ＰＣＲＦが、ポリシ制御情報をゲートウェイ１に送信する。
ステップ５０５：  ゲートウェイ１が、接続セットアップの完了を示す確認メッセージをＵＥに送信する。
ステップ５０６：  ＵＥが、接続セットアップ要求をゲートウェイ２に送信して、第２のＰＤＮにアクセスする。
ステップ５０７：  ゲートウェイ２がＳＰＲにアクセスして、ＰＣＲＦのアドレスを要求する。
【００６４】
具体的には、このステップは以下の通りである。すなわち、ゲートウェイ２が、ＵＥ・ＩＤを含むＰＤＦ割当要求を送信する。ＳＰＲが、ＰＣＲＦの予め登録されたアドレス指定情報に従って、ＵＥ・ＩＤに関連するＰＣＲＦのアドレスを得る。
【００６５】
ステップ５０８：  ゲートウェイ２がＰＣＲＦと対話して、ポリシ制御情報を得る。
ステップ５０９：  ゲートウェイ２が、接続セットアップの完了を示す確認メッセージをＵＥに送信する。
【００６６】
本発明の第５の実施形態では、同じＰＣＲＦが、同じＵＥの３つ以上のＩＰ−ＣＡＮ接続を管理するために使用されることがあり、これは、本発明の実装に影響を及ぼさない。
【００６７】
本発明の第５の実施形態では、ＰＤＦアドレス割当要求をゲートウェイ２から受信した後に、組込みＰＭＥを備えるＳＰＲが、ＰＤＦの予め登録されたアドレス指定情報に従って、ＵＥ・ＩＤに関連するＰＤＦのアドレス（ゲートウェイ１によりアクセスされるＰＤＦのアドレス）を得る。次に、ＳＰＲが、ＰＤＦの得られたアドレスをゲートウェイ２に送信する。したがって、ゲートウェイ１およびゲートウェイ２が、同じＰＤＦにアクセスすることができる。そのため、同じＵＥの複数のデータ接続が、同じＰＤＦだけを使用することができる。この場合、ただ１つのＰＤＦが、ＵＥのユーザ情報を維持するために必要とされる。これにより、ネットワーク全体でＰＤＦがユーザ情報を維持する仕事量が低減される。
【００６８】
図６は、本発明の第６の実施形態によるＰＤＦアドレス指定方法を示す。この方法は、ＳＡＥネットワークと他のネットワークの間のハンドオーバが発生するシナリオに適用可能である。ＵＥが、移動管理エンティティ（ｍｏｂｉｌｉｔｙ  ｍａｎａｇｅｍｅｎｔ  ｅｎｔｉｔｙ、ＭＭＥ）、および３ＧＰＰアクセスネットワーク上のＳＡＥネットワークゲートウェイを介してＰＤＮに接続される。この場合、ＳＡＥネットワークゲートウェイが、サービングゲートウェイ（ＰＥＰ）およびＰＤＮ・ＧＷ（ＰＥＰ）を含む。ＵＥが、アクセスゲートウェイ、および非３ＧＰＰアクセスネットワーク上のＳＡＥネットワークのＰＤＮ・ＧＷを介してＰＤＮに接続される。この方法は以下のステップを含む。
【００６９】
ステップ６０１：  ＵＥがデータ接続セットアップ要求をＭＭＥに送信する。
ステップ６０２：  ＭＭＥが、たとえば、ホーム加入サーバ（ＨＳＳ）、または認証、許可、および課金（ＡＡＡ）サーバなどのユーザ情報サーバからユーザ加入情報を得て、ユーザ加入情報に従って、ユーザに対して認証および許可を実行する。ＭＭＥがＵＥ・ＩＤを含むＰＣＲＦ割当要求をユーザ情報サーバに送信する。ユーザ情報サーバ内のＰＭＥが、ＵＥ・ＩＤに従って、ＰＣＲＦのアドレス指定情報が既に利用可能かどうかをチェックする。既に利用可能な場合、ＰＭＥが、ＰＣＲＦのアドレス指定情報に従って、ＵＥ・ＩＤに関連するＰＣＲＦのアドレスを得る。ＰＭＥがＰＣＲＦのアドレス指定情報を登録していない場合、ＰＭＥがＰＣＲＦのアドレスを割り当てる。
【００７０】
このステップでのＰＣＲＦのアドレス指定情報は、ＵＥ・ＩＤと、ＰＣＲＦのアドレスの間の関連付けのことも、ＵＥ・ＩＤと、ＰＤＮ・ＩＤと、ＰＣＲＦのアドレスの間の関連付けのこともある。
【００７１】
このステップでは、ＰＭＥが、ＰＤＦの割り当てられたアドレスとＵＥ・ＩＤの間の関連付けをＰＤＦのアドレス指定情報として記憶することも、ＰＤＦの割り当てられたアドレスと、ＵＥ・ＩＤと、ＰＤＮ・ＩＤの間の関連付けをＰＤＦのアドレス指定情報として記憶することもあり、もしくはＭＭＥが、ステップ６０７の後にアドレス指定情報をＰＭＥに登録する。
【００７２】
ステップ６０３：  ＭＭＥが、ＰＣＲＦのアドレスを含むデータ接続セットアップ要求を３ＧＰＰサービングゲートウェイに送信する。
ステップ６０４：  ３ＧＰＰサービングゲートウェイが３ＧＰＰ  ＰＤＮ・ＧＷと対話して、サービングゲートウェイとＰＤＮ・ＧＷの間のデータチャネルをセットアップする。
ステップ６０５：  ３ＧＰＰサービングゲートウェイが、ＰＣＲＦ割当要求をユーザ情報サーバに送信する。ユーザ情報サーバ内のＰＭＥが、ＵＥ・ＩＤに従って、ＰＣＲＦのアドレス指定情報が既に利用可能かどうかをチェックする。既に利用可能な場合、ＰＭＥが、ＰＣＲＦのアドレス指定情報に従って、ＵＥ・ＩＤに関連するＰＣＲＦのアドレスを得る。ＰＭＥがＰＣＲＦのアドレス指定情報を登録していない場合、ＰＭＥがＰＣＲＦのアドレスを割り当て、ＰＣＲＦのアドレス指定情報を記憶する。
【００７３】
ＰＣＲＦのアドレスが、ステップ６０２、またはステップ６０５のいずれかで割り当てられることがある。ステップ６０５が実行された場合、ステップ６０３でＭＭＥが３ＧＰＰサービングゲートウェイに送信するデータ接続セットアップ要求にＰＣＲＦのアドレスが含まれない。
【００７４】
ステップ６０６：  ３ＧＰＰサービングゲートウェイがＰＣＲＦと対話して、ポリシ制御情報を得る。
ステップ６０７：  ３ＧＰＰサービングゲートウェイが、データ接続セットアップの完了を示す確認メッセージをＭＭＥに送信する。
ステップ６０８：  ＭＭＥが、データ接続セットアップの完了を示す確認メッセージをＵＥに送信する。
【００７５】
サービングゲートウェイが、自分でＰＣＲＦを選択することがあり、３ＧＰＰサービングゲートウェイが、ステップ６０７でデータ接続セットアップの完了を示す確認メッセージに含まれるＰＣＲＦのアドレスを作成することがあり、ＭＭＥがＰＣＲＦのアドレス指定情報をＰＭＥに登録することがある。または、ＰＭＥが、ステップ６０２で複数の利用可能なＰＣＲＦのアドレスを割り当てるときに、ＭＭＥが１つのＰＣＲＦのアドレスを選択し、ステップ６０３でそれを３ＧＰＰサービングゲートウェイに送信することがあり、ＭＭＥが、ステップ６０７で３ＧＰＰサービングゲートウェイからの、データ接続セットアップの完了を示す確認メッセージを受信した後に、選択されたＰＣＲＦのアドレス指定情報をＰＭＥに登録する。
【００７６】
ステップ６０９：  ＵＥが、非３ＧＰＰアクセスネットワークにアクセスし、データ接続セットアップ要求を非３ＧＰＰアクセスゲートウェイに送信する。
ステップ６１０：  非３ＧＰＰアクセスゲートウェイが、ユーザ情報サーバと対話して、ＰＣＲＦのアドレスを要求する。
【００７７】
具体的には、このステップは以下の通りである。すなわち、非３ＧＰＰアクセスゲートウェイが、ＰＤＦアドレス割当要求をユーザ情報サーバに送信する。ユーザ情報サーバ内のＰＭＥが、ＵＥ・ＩＤに従って、ＰＣＲＦのアドレス指定情報が既に利用可能かどうかをチェックする。既に利用可能な場合、ＰＭＥがＰＣＲＦのアドレス指定情報に従って、ＵＥ・ＩＤに関連するＰＣＲＦのアドレスを得る。ＰＭＥがＰＣＲＦのアドレス指定情報を登録していない場合、ＰＭＥがＰＣＲＦのアドレスを割り当て、ＰＣＲＦのアドレス指定情報を記憶する。
【００７８】
ステップ６１１：  非３ＧＰＰアクセスゲートウェイが、ＰＣＲＦと対話して、ポリシ制御情報を得る。
ステップ６１２：  非３ＧＰＰアクセスゲートウェイが、３ＧＰＰサービングゲートウェイと対話し、サービングゲートウェイとのデータ接続をセットアップする。
ステップ６１３：  非３ＧＰＰアクセスゲートウェイが、データ接続セットアップの完了を示す確認メッセージをＵＥに送信する。
【００７９】
本発明の第６の実施形態では、ＵＥが、あるネットワークから別のネットワークにハンドオーバされたときに、ＰＭＥが、ＰＤＦアドレス割当要求をターゲットネットワーク上のＰＥＰから受信した後に、ＰＤＦの予め登録されたアドレス指定情報に従って、ＵＥ・ＩＤに関連するＰＤＦのアドレス（ソースネットワーク上のＰＥＰによりアクセスされるＰＤＦのアドレス）を得て、ＰＤＦの得られたアドレスをターゲットネットワーク上のＰＥＰに送信する。したがって、ターゲットネットワークのデータ接続が、同じＰＤＦをターゲットネットワークのＰＤＦとして使用することができ、これにより、ネットワーク間ハンドオーバによるデータサービス伝送の失敗が避けられる。
【００８０】
図７は、本発明の第７の実施形態によるＰＤＦアドレス指定方法を示す。この方法は、ＵＥが、ローミングするときに、訪問先ゲートウェイおよびホームゲートウェイとのデータ接続をセットアップすることにより、ＰＤＮにアクセスするシナリオに適用可能である。訪問先ゲートウェイとのデータ接続は、訪問先ネットワーク内でのＵＥの経路を最適化するために使用される。この方法は、これら２つのデータ接続が、同じ訪問先ＰＤＦ、および同じホームＰＤＦを使用することを保証することがある。
【００８１】
ステップ７０１：  ＵＥが、接続セットアップ要求を訪問先ゲートウェイ（ＰＥＰ）に送信する。
ステップ７０２：  訪問先ゲートウェイがＰＭＥと対話して、訪問先ＰＤＦのアドレスを要求する。訪問先ゲートウェイが、訪問先ＰＭＥを介してホームＰＭＥと対話することにより、ホームＰＤＦのアドレスを要求する。
ステップ７０３：  訪問先ゲートウェイが、ポリシ制御要求を訪問先ＰＤＦに送信する。ポリシ制御要求は、ＵＥ・ＩＤ、ＰＤＮ・ＩＤ、およびホームＰＤＦのアドレスを含む。
ステップ７０４：  訪問先ＰＤＦが、ホームネットワークのポリシ制御情報をホームＰＤＦから得る。
ステップ７０５：  訪問先ＰＤＦが、訪問先ネットワークのポリシ制御情報を生成し、ホームネットワークのポリシ制御情報と交渉して、ポリシ制御情報を得て、得られたポリシ制御情報を訪問先ゲートウェイに送信する。
ステップ７０６：  訪問先ゲートウェイが、訪問先ＰＭＥと対話し、訪問先ＰＤＦのアドレス指定情報を訪問先ＰＭＥに登録する。
【００８２】
訪問先ゲートウェイが、対話の間に、ＵＥ・ＩＤ、訪問先ＰＤＦのアドレス、およびホームＰＤＦのアドレスを含む登録要求を訪問先ＰＭＥに送信する。この要求はまた、ＰＤＮ・ＩＤを含むこともある。訪問先ＰＭＥが、登録要求に従って、訪問先ＰＤＦのアドレス指定情報を登録する。訪問先ＰＤＦのアドレス指定情報は、ＵＥ・ＩＤと、訪問先ＰＤＦのアドレスの間の関連付け、またはＵＥ・ＩＤと、ＰＤＮ・ＩＤと、訪問先ＰＤＦのアドレスの間の関連付けである。
【００８３】
ステップ７０７：  訪問先ＰＭＥが、ホームＰＭＥと対話し、ホームＰＤＦのアドレス指定情報をホームＰＭＥに登録する。
【００８４】
具体的には、このステップは以下の通りである。すなわち、訪問先ＰＭＥが、ホームＰＤＦのアドレス指定情報を含む登録要求をホームＰＭＥに送信する。この場合、登録要求は、ＵＥ・ＩＤ、およびホームＰＤＦのアドレスを含む。ホームＰＭＥが、登録要求に従って、ホームＰＤＦのアドレス指定情報を登録する。
【００８５】
ステップ７０８：  訪問先ゲートウェイが、接続セットアップの完了を示す確認メッセージをＵＥに送信する。
ステップ７０９：  ＵＥが、接続セットアップ要求を訪問先ゲートウェイ（ＰＥＰ）に送信する。
ステップ７１０：  訪問先ゲートウェイが、訪問先ＰＤＦアドレス割当要求を訪問先ＰＭＥに送信する。訪問先ＰＭＥが、ＵＥ・ＩＤに従って、訪問先ＰＤＦのアドレス指定情報が既に利用可能かどうかをチェックする。既に利用可能な場合、訪問先ＰＭＥが、ＵＥ・ＩＤに関連する訪問先ＰＤＦのアドレスを得て、それを訪問先ゲートウェイに送信する。そうでない場合、訪問先ＰＭＥが訪問先ＰＤＦのアドレスを割り当てる。
ステップ７１１：  訪問先ゲートウェイが、ポリシ制御情報を訪問先ＰＤＦから得る。
ステップ７１２：  訪問先ゲートウェイが、訪問先ＰＤＦのアドレス指定情報を訪問先ＰＭＥに登録する。
【００８６】
具体的には、このステップは以下の通りである。すなわち、訪問先ゲートウェイが、ＵＥ・ＩＤ、および訪問先ＰＤＦのアドレスを含む登録要求を訪問先ＰＭＥに送信する。この場合、登録要求は、ＰＤＮ・ＩＤをさらに含むことがある。訪問先ＰＭＥが、登録要求に従って、訪問先ＰＤＦのアドレス指定情報を登録する。訪問先ＰＤＦのアドレス指定情報は、ＵＥ・ＩＤと、訪問先ＰＤＦのアドレスの間の関連付け、またはＵＥ・ＩＤと、ＰＤＮ・ＩＤと、訪問先ＰＤＦのアドレスの間の関連付けである。
【００８７】
訪問先ＰＭＥが、ステップ７１０でＵＥ・ＩＤに従って、ＰＤＦのアドレス指定情報を見つけ出した場合、ステップ７１２が省略される。
【００８８】
ステップ７１３：  訪問先ゲートウェイが、訪問先ネットワークのポリシ制御情報を含む接続セットアップ要求をホームゲートウェイに送信する。
ステップ７１４：  ホームゲートウェイが、ホームＰＤＦアドレス割当要求をホームＰＭＥに送信する。ホームＰＭＥが、ＵＥ・ＩＤに従って、ホームＰＤＦのアドレス指定情報が既に利用可能かどうかをチェックする。既に利用可能な場合、ホームＰＭＥが、ＵＥ・ＩＤに関連するホームＰＤＦのアドレスを得て、それをホームゲートウェイに送信する。そうでない場合、ホームＰＭＥがホームＰＤＦのアドレスを割り当てる。
ステップ７１５：  ホームゲートウェイが、ポリシ制御情報をホームＰＤＦから得る。
ステップ７１６：  ホームゲートウェイが、ホームＰＤＦのアドレス指定情報をホームＰＭＥに登録する。
【００８９】
ホームＰＭＥが、ステップ７１４でＵＥ・ＩＤに従って、ＰＤＦのアドレス指定情報を見つけ出した場合、ステップ７１６が省略される。
【００９０】
具体的には、このステップは以下の通りである。すなわち、ホームゲートウェイが、ホームＰＤＦのアドレス指定情報を含む登録要求をホームＰＭＥに送信する。ホームＰＭＥが登録要求に従って、ホームＰＤＦのアドレス指定情報を登録する。
【００９１】
ステップ７１７：  ホームゲートウェイが、ホームネットワークの得られたポリシ制御情報、および訪問先ネットワークのポリシ制御情報についてポリシ交渉を実行して、ポリシ制御情報を得て、接続セットアップの完了を示す確認メッセージを訪問先ゲートウェイに送信する。この場合、確認メッセージが、得られたポリシ制御情報を含む。
ステップ７１８：  訪問先ゲートウェイが、接続セットアップの完了を示す確認メッセージをＵＥに送信する。
【００９２】
上記のステップ７０１〜ステップ７０９が、ＵＥと訪問先ゲートウェイの間のデータ接続をセットアップする処理を説明している。上記のステップ７１０〜ステップ７１８が、訪問先ゲートウェイを介したＵＥとホームゲートウェイの間のデータ接続をセットアップする処理を説明している。２つのデータ接続のうちどちらかが、より早くセットアップされることがある。訪問先ＰＭＥが、早いほうのデータ接続処理で訪問先ＰＤＦのアドレス指定情報を登録する場合、訪問先ＰＭＥが、遅いほうのデータ接続処理で訪問先ＰＤＦのアドレス指定情報を登録する必要がない。同様に、ホームＰＭＥが、早いほうのデータ接続処理でホームＰＤＦのアドレス指定情報を登録する場合、ホームＰＭＥが、遅いほうのデータ接続処理でホームＰＤＦのアドレス指定情報を登録する必要がなく、これが本発明の目的を達成することもある。
【００９３】
本発明の第７の実施形態では、同じＰＭＥが、ＰＤＦのアドレス指定情報を登録するために使用されることもある。この場合、ＰＤＦのアドレス指定情報は、ホームＰＤＦのアドレスと、訪問先ＰＤＦのアドレスと、ＵＥ・ＩＤの間のマッピング関係であり、これが本発明の目的を達成することもある。
【００９４】
本発明の第７の実施形態では、訪問先ＰＭＥが、訪問先ＰＤＦのアドレス指定情報を登録し、ホームＰＭＥが、ホームＰＤＦのアドレス指定情報を登録する。この場合、ＵＥが、訪問先ゲートウェイおよびホームゲートウェイとのデータ接続をセットアップして、ＰＤＮにアクセスするときに、ＵＥが、早いほうのデータ接続を介してアクセスされる、訪問先ＰＤＦおよびホームＰＤＦのアドレスを遅いほうのデータ接続で得ることができる。したがって、これら２つのデータ接続により使用される訪問先ＰＤＦおよびホームＰＤＦが同じであり、その結果、同じＵＥの複数のデータ接続が、同じホームＰＤＦを使用することができる。
【００９５】
図８は、本発明の第８の実施形態によるＰＤＦアドレス指定方法を示す。この方法は、ＵＥが、ローミングするときに、訪問先ゲートウェイおよびホームゲートウェイとのデータ接続をセットアップすることにより、ＰＤＮにアクセスするシナリオに適用可能である。訪問先ゲートウェイとのデータ接続が、訪問先ネットワーク内でのＵＥの経路を最適化するために使用されることがある。この方法は、これら２つのデータ接続が、同じホームＰＤＦを使用することを保証することがある。この方法は、以下のステップを含む。
【００９６】
ステップ８０１：  ＵＥが、データ接続セットアップ要求をＭＭＥまたはアクセスゲートウェイに送信する。
ステップ８０２：  ＭＭＥまたはアクセスゲートウェイが、接続セットアップ要求を訪問先ゲートウェイに送信する。
ステップ８０３：  訪問先ゲートウェイが、接続セットアップ要求をホームゲートウェイに送信する。
ステップ８０４：  ホームゲートウェイがＰＭＥと対話して、ホームＰＣＲＦのアドレスを要求する。
【００９７】
具体的には、このステップは以下の通りである。すなわち、ホームゲートウェイが、ＵＥ・ＩＤ、またはＵＥ・ＩＤおよびＰＤＮ・ＩＤを含むＰＤＦアドレス割当要求をＰＭＥに送信する。ＰＭＥが、ＵＥ・ＩＤ、またはＵＥ・ＩＤおよびＰＤＮ・ＩＤに従って、ＰＣＲＦのアドレス指定情報が既に利用可能かどうかをチェックする。既に利用可能な場合、ＰＭＥが、ＵＥ・ＩＤに関連するホームＰＣＲＦのアドレスを見つけ出し、それをホームゲートウェイに送信する。そうでない場合、ＰＭＥが適切なＰＣＲＦのアドレスを割り当て、ＰＣＲＦのアドレスをホームゲートウェイに送り返す、または選択するための複数のＰＣＲＦのアドレスをホームゲートウェイに提供する。
【００９８】
ステップ８０５：  ホームゲートウェイがホームＰＣＲＦと対話して、ポリシ制御情報を得る。
ステップ８０６：  ホームゲートウェイが、ＰＣＲＦのアドレス指定情報をＰＭＥに登録する。
ステップ８０７：  ホームゲートウェイが、接続セットアップの完了を示す確認メッセージを訪問先ゲートウェイに送信する。
ステップ８０８：  訪問先ゲートウェイが、接続セットアップの完了を示す確認メッセージをＭＭＥまたはアクセスゲートウェイに送信する。
ステップ８０９：  ＭＭＥまたはアクセスゲートウェイが、接続セットアップの完了を示す確認メッセージをＵＥに送信する。
ステップ８１０：  ＵＥが、データ接続セットアップ要求をＭＭＥまたはアクセスゲートウェイに送信する。
ステップ８１１：  ＭＭＥまたはアクセスゲートウェイが、接続セットアップ要求を訪問先ゲートウェイに送信する。
ステップ８１２：  訪問先ゲートウェイがＰＭＥと対話して、ホームＰＣＲＦのアドレスを要求する。
【００９９】
具体的には、このステップは以下の通りである。すなわち、訪問先ゲートウェイが、ＵＥ・ＩＤを含むＰＤＦアドレス割当要求をＰＭＥに送信する。ＰＭＥが、ＵＥ・ＩＤに従って、ＰＣＲＦのアドレス指定情報が既に利用可能かどうかをチェックする。既に利用可能な場合、ＰＭＥが、ＵＥ・ＩＤに関連するホームＰＣＲＦのアドレスを見つけ出し、それを訪問先ゲートウェイに送信する。そうでない場合、ＰＭＥが適切なＰＣＲＦのアドレスを割り当て、ＰＣＲＦのアドレスを訪問先ゲートウェイに送り返す、または選択するための複数のＰＣＲＦアドレスを訪問先ゲートウェイに提供する。
【０１００】
ステップ８１３：  訪問先ゲートウェイが、ポリシ制御要求を訪問先ＰＣＲＦに送信する。ポリシ制御要求は、ＵＥ・ＩＤ、ＰＤＮ・ＩＤ、およびＰＤＦのアドレスを含む。
ステップ８１４：  訪問先ＰＣＲＦが、ホームネットワークのポリシ制御情報をホームＰＣＲＦから得る。
ステップ８１５：  訪問先ＰＣＲＦが、訪問先ネットワークのポリシ制御情報を生成し、ホームネットワークのポリシ制御情報との交渉によりポリシ制御情報を得て、得られたポリシ制御情報を訪問先ゲートウェイに送信する。
ステップ８１６：  訪問先ゲートウェイが、ホームＰＣＲＦのアドレス指定情報をＰＭＥに登録する。
ステップ８１７：  訪問先ゲートウェイが、接続セットアップの完了を示す確認メッセージをＭＭＥまたはアクセスゲートウェイに送信する。
ステップ８１８：  ＭＭＥまたはアクセスゲートウェイが、接続セットアップの完了を示す確認メッセージをＵＥに送信する。
【０１０１】
ステップ８１２はまた、以下のように置き換えられることもある。すなわち、訪問先ゲートウェイが、ポリシ制御要求を訪問先ＰＣＲＦに送信した後に、訪問先ＰＣＲＦが、ＰＤＦアドレス割当要求をＰＭＥに送信する。ホームＰＣＲＦのＩＤ情報を得た後に、訪問先ＰＣＲＦがステップ８１４を実行して、ポリシ制御情報を得て、その結果、訪問先ＰＣＲＦが、ステップ８０５でホームゲートウェイによりアクセスされるホームＰＤＦと同じとなる。
【０１０２】
同様に、ステップ８１６が、以下のように置き換えられることがある。すなわち、ステップ８１４の後に、訪問先ＰＣＲＦが、ホームＰＣＲＦのアドレス指定情報をＰＭＥに登録する。
【０１０３】
上記のステップ８０１〜ステップ８０９が、ＵＥとホームゲートウェイの間のデータ接続をセットアップする処理を説明している。上記のステップ８１０〜ステップ８１８が、ＵＥと訪問先ゲートウェイの間のデータ接続をセットアップする処理を説明している。２つのデータ接続のうちのどちらかが、より早くセットアップされることがある。ホームＰＣＲＦのアドレス指定情報が、早いほうのデータ接続処理で登録される場合、ホームＰＣＲＦのアドレス指定情報が、遅いほうのデータ接続処理で登録される必要がなく、これが本発明の目的を達成することもある。
【０１０４】
本発明の第８の実施形態では、ＰＭＥが、ホームＰＣＲＦのアドレス指定情報を登録する。この場合、ＵＥが、訪問先ゲートウェイおよびホームゲートウェイとのデータ接続をセットアップすることによりＰＤＮにアクセスするときに、ＵＥが、早いほうのデータ接続でアクセスされるホームＰＣＲＦのアドレスを、遅いほうのデータ接続処理で得ることができ、したがって、同じＵＥのこれら２つのデータ接続が、同じホームＰＣＲＦを使用することを保証する。
【０１０５】
図９は、本発明の第９の実施形態によるＰＤＦアドレス指定方法を示す。この方法は、ホームゲートウェイが、ホームＰＤＦに接続して、ホームネットワークのポリシ制御情報を得る必要があり、かつＵＥがローミングするときに、訪問先ゲートウェイが、ポリシ交渉のためにホームＰＤＦと連絡をとる必要もあるシナリオに適用可能である。すなわち、訪問先ゲートウェイおよびホームゲートウェイが、同じデータ接続に対応し、同じホームＰＤＦにアクセスするべきである。この方法は以下のステップを含む。
【０１０６】
ステップ９０１：  ＵＥが、接続セットアップ要求をＭＭＥに送信する。
ステップ９０２：  ＭＭＥが、接続セットアップ要求を訪問先ゲートウェイに送信する。
ステップ９０３：  訪問先ゲートウェイが、ポリシ制御要求を訪問先ＰＤＦに送信する。ポリシ制御要求は、ＵＥ・ＩＤおよびＰＤＮ・ＩＤを含む。
ステップ９０４：  訪問先ＰＤＦが、ホームネットワークのポリシ制御情報をホームＰＤＦから得る。
ステップ９０５：  訪問先ＰＤＦが、訪問先ネットワークのポリシ制御情報を生成し、ホームネットワークのポリシ制御情報との交渉によりポリシ制御情報を得て、得られたポリシ制御情報、およびホームＰＤＦのアドレスを訪問先ゲートウェイに送信する。
ステップ９０６：  訪問先ゲートウェイが、ホームＰＤＦのアドレス指定情報をＰＭＥに登録する。
【０１０７】
具体的には、このステップは以下の通りである。すなわち、訪問先ゲートウェイが、ホームＰＤＦのアドレス指定情報を含む登録要求をＰＭＥに送信する。ＰＭＥが、登録要求に従って、ホームＰＤＦのアドレス指定情報を登録する。
【０１０８】
ステップ９０７：  訪問先ゲートウェイが、接続セットアップ要求をホームゲートウェイに送信する。
ステップ９０８：  ホームゲートウェイがＰＭＥと対話して、ホームＰＤＦのアドレスを要求する。
【０１０９】
具体的には、このステップは以下の通りである。すなわち、ホームゲートウェイが、ＵＥ・ＩＤを含むＰＤＦアドレス割当要求をＰＭＥに送信する。ＰＭＥが、ＰＤＦの予め登録されたアドレス指定情報に従って、ＵＥ・ＩＤに関連するＰＤＦのアドレスを得て、ＰＤＦの得られたアドレスをホームゲートウェイに送信する。
【０１１０】
ステップ９０９：  ホームゲートウェイが、ホームネットワークのポリシ制御情報をホームＰＤＦから得る。
ステップ９１０：  ホームゲートウェイが、接続セットアップの完了を示す確認メッセージを訪問先ゲートウェイに送信する。
ステップ９１１：  訪問先ゲートウェイが、接続セットアップの完了を示す確認メッセージをＭＭＥに送信する。
ステップ９１２：  ＭＭＥが、接続セットアップの完了を示す確認メッセージをＵＥに送信する。
【０１１１】
本発明の第９の実施形態では、ＰＭＥが、ホームＰＣＲＦのアドレス指定情報を登録し、ホームゲートウェイが、ホームＰＣＲＦのアドレスをＰＭＥから得る。したがって、訪問先ゲートウェイ、およびホームゲートウェイが、同じデータ接続に対応するときに、これらが同じホームＰＤＦにアクセスすることができる。
【０１１２】
図１０は、本発明の第１０の実施形態によるＰＤＦアドレス指定方法を示す。この方法は、ＵＥがある訪問先ネットワークから別の訪問先ネットワークに移動し、訪問先ネットワーク内のデータ接続に対して経路最適化ポリシを使用するシナリオに適用可能である。この方法は以下のステップを含む。
【０１１３】
ステップ１００１：  ＵＥが、接続セットアップ要求を第１の訪問先ゲートウェイに送信する。
ステップ１００２：  第１の訪問先ゲートウェイがＰＭＥと対話して、ホームＰＤＦのアドレスを要求する。
ステップ１００３：  第１の訪問先ゲートウェイが、ホームＰＤＦのアドレスを含むポリシ制御要求を第１の訪問先ＰＤＦに送信する。
ステップ１００４：  第１の訪問先ＰＤＦが、ホームネットワークのポリシ制御情報をホームＰＤＦから得る。
ステップ１００５：  第１の訪問先ＰＤＦが、訪問先ネットワークのポリシ制御情報を生成し、ホームネットワークのポリシ制御情報との交渉によりポリシ制御情報を得て、得られたポリシ制御情報を第１の訪問先ゲートウェイに送信する。
ステップ１００６：  ホームＰＤＦが、ホームＰＤＦのアドレス指定情報をＰＭＥに登録する。
【０１１４】
具体的には、このステップは以下の通りである。すなわち、ホームＰＤＦが、ホームＰＤＦのアドレス指定情報を含む登録要求をＰＭＥに送信する。ＰＭＥが、登録要求に従って、ＰＤＦのアドレス指定情報を登録する。
【０１１５】
ステップ１００７：  第１の訪問先ゲートウェイが、接続セットアップの完了を示す確認メッセージをＵＥに送信する。
【０１１６】
次に、ＵＥが第２の訪問先ネットワークにローミングする。
【０１１７】
ステップ１００８：  ＵＥが、接続セットアップ要求を第２の訪問先ゲートウェイに送信する。
ステップ１００９：  第２の訪問先ゲートウェイが、ＵＥ・ＩＤに従って、ホームＰＤＦのアドレスをＰＭＥから得る。
【０１１８】
具体的には、このステップは以下の通りである。すなわち、第２の訪問先ゲートウェイが、ＵＥ・ＩＤを含むＰＤＦアドレス割当要求をＰＭＥに送信する。ＰＭＥが、ＰＤＦの予め登録されたアドレス指定情報に従って、ＰＤＦのアドレスを得て、ＰＤＦの得られたアドレスを第２の訪問先ゲートウェイに送信する。
【０１１９】
ステップ１０１０：  第２の訪問先ゲートウェイが、ホームＰＤＦのアドレスを含むポリシ制御要求を第２の訪問先ＰＤＦに送信する。
ステップ１０１１：  第２の訪問先ＰＤＦが、ホームネットワークのポリシ制御情報をホームＰＤＦから得る。
ステップ１０１２：  第２の訪問先ＰＤＦが、訪問先ネットワークのポリシ制御情報を生成し、ホームネットワークのポリシ制御情報との交渉によりポリシ制御情報を得て、得られたポリシ制御情報を第２の訪問先ゲートウェイに送信する。
ステップ１０１３：  第２の訪問先ゲートウェイが、接続セットアップの完了を示す確認メッセージをＵＥに送信する。
【０１２０】
本発明の第１０の実施形態では、第１のゲートウェイが、ホームＰＣＲＦのアドレス指定情報をＰＭＥに登録し、第２の訪問先ゲートウェイが、ホームＰＣＲＦのアドレスをＰＭＥから得る。これにより、第１の訪問先ゲートウェイ、および第２の訪問先ゲートウェイが、同じホームＰＣＲＦにアクセスし、同じホームＰＣＲＦにより生成されるポリシ制御情報を使用することを保証することができる。したがって、ポリシ／課金制御（ＰＣＣ）アーキテクチャを使用して、どのサービスが経路最適化を受ける必要があるか、どのサービスがホームネットワークに送り返される必要があるかを制御することもある。
【０１２１】
図１１は、本発明の第１１の実施形態によるＰＤＦアドレス指定方法を示す。この方法は、ＵＥが、データ接続をセットアップした後に、サービスセットアップ要求を開始し、アプリケーション機能が、ＵＥのデータサービス用のサービス・データ・チャネルをセットアップして、サービス品質（ＱｏＳ）を保証するシナリオに適用可能である。この方法は以下のステップを含む。
【０１２２】
ステップ１１０１：  ＰＤＮ・ＧＷが、ＰＥＰとして、ポリシ制御情報をＰＤＦから得て、ＵＥとのデータ接続をセットアップし、ＰＤＦのアドレス指定情報をＰＭＥに登録する。
ステップ１１０２：  ＵＥが、ＵＥ・ＩＤを含むサービスセットアップ要求をアプリケーション機能に送信する。
ステップ１１０３：  アプリケーション機能が、ＵＥ・ＩＤに従って、ＰＤＦのアドレスをＰＭＥから得る。
【０１２３】
具体的には、このステップは以下の通りである。すなわち、アプリケーション機能が、ＵＥ・ＩＤを含むＰＤＦアドレス割当要求をＰＭＥに送信する。ＰＭＥが、ＰＤＦの予め登録されたアドレス指定情報に従って、ＰＤＦのアドレスを得て、ＰＤＦの得られたアドレスをアプリケーション機能に送信する。
【０１２４】
ステップ１１０４：  アプリケーション機能が、ＵＥにより要求されたサービス情報をＰＤＦに送信する。
ステップ１１０５：  ＰＤＦが、ＵＥにより要求されたサービス情報に従って、そのサービスに適用可能なポリシ制御情報を生成し、ポリシ制御情報をＰＥＰの働きをするＰＤＮ・ＧＷに送信する。
ステップ１１０６：  ＰＤＮ・ＧＷが、サービスに適用可能なポリシ制御情報に従って、ＵＥとのサービス・データ・チャネルをセットアップする。
【０１２５】
本発明の第１１の実施形態では、ＰＤＦアドレス割当要求をアプリケーション機能から受信した後に、ＰＭＥが、ＰＤＦの予め登録されたアドレス指定情報に従って、ＵＥ・ＩＤに関連するＰＤＦのアドレスを得る。次に、ＰＭＥが、ＰＤＦの得られたアドレスをアプリケーション機能に送信し、その結果、アプリケーション機能が、サービス情報を以前の接続に送信し、以前の接続で使用されたＰＤＦにアクセスすることができる。
【０１２６】
上記の実施形態では、ＰＤＦが、ＰＣＲＦの中に配置されることがある。この場合、ＰＤＦのアドレス指定情報は、ＰＣＲＦのアドレス指定情報であり、それは、ＵＥ・ＩＤと、ＰＣＲＦのアドレスの間の関連付け、またはＰＣＲＦのアドレスと、ＵＥ・ＩＤと、ＰＤＮ・ＩＤとの間の関連付けである。
【０１２７】
上記の実施形態では、ＰＭＥ機能を有するＮＥがＰＭＥと呼ばれる。ＮＥが、ＳＰＲのことも、ＡＡＡ／ＨＳＳのこともあり、そのことが本発明の実装に影響を及ぼさない。
【０１２８】
上記の実施形態の諸ステップのうちすべてまたは一部が、プログラムにより指令されるハードウェアにより実装されることがあることを、当業者には理解することができる。プログラムが、読出し専用メモリ（ＲＯＭ）、ランダム・アクセス・メモリ（ＲＡＭ）、磁気ディスク、またはコンパクトディスク（ＣＤ）などのコンピュータ読み取り可能媒体内に記憶されることがある。
【０１２９】
上記の実施形態では、ＰＤＦが、ＰＤＦのドメイン名またはアドレスにより特定されることがあり、もしくはＰＤＦが、ＰＤＦのドメイン名とアドレスとの組合せにより、または他のＩＤにより特定されることがあり、このことが、本発明の目的を達成することもある。
【０１３０】
図１２は、本発明の第１２の実施形態によるＮＥを示す。ＮＥが、ＳＰＲ内に配置されることも、ＡＡＡ／ＨＳＳ内に配置されることもあり、
ＵＥ・ＩＤを含むＰＤＦ割当要求を受信するように構成されたＰＤＦ要求受信ユニット１２０１と、
ＰＤＦの予め登録されたアドレス指定情報に従って、ＵＥ・ＩＤに関連するＰＤＦのＩＤ情報を得るように構成されたＰＤＦ・ＩＤ情報入手ユニット１２０２であって、ＰＤＦのアドレス指定情報がＵＥ・ＩＤと、ＰＤＦのＩＤ情報の間の関連付けであり、ＵＥ・ＩＤに関連するＰＤＦが、第１のＮＥによりアクセスされるユニットと、
ＰＤＦの得られたＩＤ情報を出力するように構成されたＰＤＦ・ＩＤ情報出力ユニット１２０３と、
を含む。
【０１３１】
ＮＥは、
ＰＤＦのアドレス指定情報を含む登録要求を受信するように構成された登録要求受信ユニット１２０４と、
ＰＤＦのアドレス指定情報を含む登録要求を受信した後に、ＰＤＦのアドレス指定情報を登録するように構成された登録ユニット１２０５と、
をさらに含む。
【０１３２】
図１３は、本発明の第１３の実施形態によるＮＥを示す。ＮＥが、ＳＰＲ内に配置されることも、ＡＡＡ／ＨＳＳ内に配置されることもあり、
ＰＤＦ要求受信ユニット１３０１と、ＰＤＦ・ＩＤ情報入手ユニット１３０２と、ＰＤＦ・ＩＤ情報出力ユニット１３０３と、第１１の実施形態と同じ機能、および互いの接続関係と、
を含む。
【０１３３】
ＮＥは、
ＰＤＦを割り当てるように構成された割当ユニット１３０４と、
割り当てられたＰＤＦのＩＤ情報、およびＵＥ・ＩＤに従って、ＰＤＦのアドレス指定情報を登録するように構成された登録ユニット１３０５と、
をさらに含む。
【０１３４】
ＰＤＦ割当要求を受信した後に、本発明の第１２の実施形態、および第１３の実施形態によるＮＥが、ＰＤＦの予め登録されたアドレス指定情報に従って、ＵＥ・ＩＤに関連するＰＤＦのＩＤ情報を得て、出力する。したがって、ＰＤＦを要求するＮＥが、ＰＤＦのＩＤ情報を得て、ＵＥに役立つ他のＮＥと同じＰＤＦにアクセスすることができる。同じＵＥが２つのデータ接続をセットアップしたときに、継続しているデータ接続またはデータサービスが、以前の接続で使用されたのと同じＰＤＦを使用して、ポリシ制御を実行することができる。
【０１３５】
図１４は、本発明の第１４の実施形態によるネットワークシステムを示す。このネットワークシステムはＰＭＥ、および第２のＮＥを含む。
【０１３６】
ＰＭＥが、ＵＥ・ＩＤを含むＰＤＦ割当要求を第２のＮＥから受信し、ＰＤＦの予め登録されたアドレス指定情報に従って、ＵＥ・ＩＤに関連するＰＤＦのＩＤ情報を得るように構成され、ＰＤＦのアドレス指定情報がＵＥ・ＩＤと、ＰＤＦのＩＤ情報の間の関連付けであり、ＵＥ・ＩＤに関連するＰＤＦが、第１のＮＥによりアクセスされ、ＰＭＥが、ＰＤＦの得られたＩＤ情報を第２のＵＥに送信するように構成される。
【０１３７】
第２のＮＥが、ＰＤＦ割当要求をＰＭＥに送信し、ＰＤＦのＩＤ情報をＰＭＥから受信するように構成される。
【０１３８】
このネットワークシステムは、
ＰＤＦのアドレス指定情報を含む登録要求をＰＭＥに送信するように構成された第１のＮＥと、
登録要求を受信した後に、ＰＤＦのアドレス指定情報を登録するようにさらに構成されたＰＭＥと、
をさらに含む。
【０１３９】
または、このネットワークシステムは、
ＰＤＦ割当要求をＰＭＥに送信するように構成された第１のＮＥと、ＰＤＦ割当要求に含まれるＵＥ・ＩＤに従って、ＰＤＦのアドレス指定情報が何も登録されていないことが確認されたときに、ＰＤＦを第１のＮＥに割り当て、割り当てられたＰＤＦのアドレス指定情報を登録するようにさらに構成されたＰＭＥと、
をさらに含む。
【０１４０】
第１のＮＥが、アクセスゲートウェイ、ＰＤＮ・ＧＷ、または訪問先ＰＤＦのこともあり、第２のＮＥが、アクセスゲートウェイ、ＰＤＮ・ＧＷ、訪問先ＰＤＦ、またはアプリケーション機能のこともある。ＰＭＥが、独立した物理的実体であることも、ＳＰＲまたはＡＡＡ／ＨＳＳを有する物理的実体内に配置されることもある。
【０１４１】
ＰＤＦ割当要求を受信した後に、本発明の第１４の実施形態によるＰＭＥが、ＰＤＦの予め登録されたアドレス指定情報に従って、ＵＥ・ＩＤに関連するＰＤＦのＩＤ情報を得て、ＰＤＦの得られたＩＤ情報を第２のＮＥに送信する。したがって、第２のＮＥが、ＰＤＦのＩＤ情報を得て、ＵＥに役立つ他のＮＥと同じＰＤＦにアクセスすることができる。同じＵＥが２つのデータ接続をセットアップしたときに、継続しているデータ接続が、以前の接続で使用されたのと同じＰＤＦを使用して、ポリシ制御を実行することができる。
【０１４２】
本発明の実施形態によるＰＤＦアドレス指定方法、ＮＥ、およびネットワークシステムを上記に詳しく説明した。当業者が、本発明の範囲を逸脱することなく本発明の様々な修正および変形を加えることができることは明らかである。最後に、本発明は、本明細書の内容に限定されるものではない。
【図１】
2010541344.tif 000003
【図２】
2010541344.tif 000004
【図３】
2010541344.tif 000005
【図４】
2010541344.tif 000006
【図５】
2010541344.tif 000007
【図６】
2010541344.tif 000008
【図７】
2010541344.tif 000009
【図８】
2010541344.tif 000010
【図９】
2010541344.tif 000011
【図１０】
2010541344.tif 000012
【図１１】
2010541344.tif 000013
【図１２】
2010541344.tif 000014
【図１３】
2010541344.tif 000015
【図１４】
2010541344.tif 000016
【手続補正書】
【提出日】平成22年5月11日(2010.5.11)
【手続補正１】
【補正対象書類名】明細書
【補正対象項目名】０００１
【補正方法】変更
【補正の内容】
【０００１】
本発明は、通信技術に関し、詳細には、ポリシ決定機能（ＰＤＦ）のアドレス指定方法、ネットワーク構成要素（ＮＥ）、およびネットワークシステムに関する。
【手続補正２】
【補正対象書類名】特許請求の範囲
【補正対象項目名】全文
【補正方法】変更
【補正の内容】
【特許請求の範囲】
【請求項１】
ポリシ決定機能（ＰＤＦ）のアドレス指定方法であって、
ユーザ装置識別子（ＵＥ・ＩＤ）を含むＰＤＦ割当要求を第２のネットワーク構成要素（ＮＥ）から受信するステップと、
前記ＵＥ・ＩＤに関連するＰＤＦのＩＤ情報を、前記ＰＤＦの予め登録されたアドレス指定情報に従って得るステップであって、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、第１のＮＥによりアクセスされるステップと、
前記ＰＤＦの前記得られたＩＤ情報を前記第２のＮＥに送信するステップと、
を含む方法。
【請求項２】
前記ＰＤＦの前記アドレス指定情報が、前記第１のＮＥによりアクセスされる前記ＰＤＦの前記ＩＤ情報と、前記ＵＥのＩＤ、および公衆データネットワーク識別子（ＰＤＮ）との間の関連付けであり、
前記ＰＤＦ割当要求が、ＰＤＮ・ＩＤをも含み、
前記ＵＥ・ＩＤに関連する前記ＰＤＦの前記ＩＤ情報を得る処理が、前記ＵＥ・ＩＤおよびＰＤＮ・ＩＤに関連し、かつ前記第１のＮＥによりアクセスされる、前記ＰＤＦの前記ＩＤ情報を得るステップを含む、
請求項１に記載の方法。
【請求項３】
前記第１のＮＥによりアクセスされる前記ＰＤＦの前記ＩＤ情報が、前記第１のＮＥによりアクセスされる前記ＰＤＦのドメイン名および／またはアドレス情報である、
請求項２に記載の方法。
【請求項４】
前記ＵＥ・ＩＤに関連する前記ＰＤＦの前記ＩＤ情報を得るステップの前に、
ポリシ管理エンティティ（ＰＭＥ）により、前記ＰＤＦの前記アドレス指定情報を登録するステップと、
前記ＰＭＥにより、前記ＵＥ・ＩＤを含む前記ＰＤＦ割当要求を前記第２のＮＥから受信し、前記ＵＥ・ＩＤに関連する前記ＰＤＦの前記ＩＤ情報を得て、前記ＰＤＦの前記得られたＩＤ情報を前記第２のＮＥに送信するステップと、
をさらに含む、請求項１、２、又は３に記載の方法。
【請求項５】
前記ＰＤＦの前記アドレス指定情報を前記ＰＭＥにより登録するステップの前に、前記ＰＭＥにより、ＰＤＦ割当要求を前記第１のＮＥから受信し、ＰＤＦを前記第１のＮＥに割り当てるステップをさらに含み、
前記ＰＤＦの前記アドレス指定情報を前記ＰＭＥにより登録する前記処理が、前記ＰＭＥにより、前記割り当てられたＰＤＦの前記アドレス指定情報を登録するステップを含む、
請求項４記載の方法。
【請求項６】
前記第２のＮＥが、第２のＰＥＰ、または訪問先ＰＤＦであり、
前記ＵＥ・ＩＤを含む前記ＰＤＦ割当要求を前記第２のＮＥから受信する前記処理が、データ接続のセットアップのときに第２のＮＥにより、前記ＰＤＦ割当要求を前記ＰＭＥに送信するステップを含む、
請求項１又は５に記載の方法。
【請求項７】
前記第２のＮＥがアプリケーション機能であり、
前記ＵＥ・ＩＤを含む前記ＰＤＦ割当要求を前記第２のＮＥから受信する前記処理が、前記アプリケーション機能がサービス情報を前記ＰＤＦに送信する必要があるときに、前記アプリケーション機能により、前記ＰＤＦ割当要求を前記ＰＭＥに送信するステップを含む、
請求項１又は５に記載の方法。
【請求項８】
前記ＰＤＦの前記アドレス指定情報を前記ＰＭＥにより登録するステップの前に、
前記ＰＭＥにより、ホームＰＤＦのＩＤ情報、訪問先ＰＤＦのＩＤ情報、および前記ＵＥ・ＩＤを含む登録要求を受信するステップであって、前記訪問先ＰＤＦおよび前記ホームＰＤＦが、前記ＵＥの同じデータ接続に対応するステップ、
をさらに含み、
前記ＰＤＦの前記アドレス指定情報が、前記ホームＰＤＦの前記ＩＤ情報と、前記訪問先ＰＤＦの前記ＩＤ情報と、前記ＵＥ・ＩＤの間のマッピング関係であり、
前記ＰＤＦ割当要求を前記第２のＮＥから受信する前記処理が、
前記ホームＰＤＦおよび／または訪問先ＰＤＦを割り当てる要求を前記第２のＮＥから受信するステップ、を含む、
請求項４に記載の方法。
【請求項９】
ネットワーク構成要素（ＮＥ）であって、
ユーザ装置識別子（ＵＥ・ＩＤ）を含むポリシ決定機能（ＰＤＦ）割当要求を受信するように構成されたＰＤＦ要求受信ユニットと、
前記ＰＤＦの予め登録されたアドレス指定情報に従って、前記ＵＥ・ＩＤに関連するＰＤＦのＩＤ情報を得るように構成されたＰＤＦ・ＩＤ情報入手ユニットであって、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、前記第１のＮＥによりアクセスされるユニットと、
前記ＰＤＦの前記得られたＩＤ情報を出力するように構成されたＰＤＦ・ＩＤ情報出力ユニットと、
を備えるネットワーク構成要素。
【請求項１０】
前記ＰＤＦの前記アドレス指定情報を登録するように構成された登録ユニット
をさらに備える、請求項９に記載のネットワーク構成要素。
【請求項１１】
前記ＰＤＦの前記アドレス指定情報を含む登録要求を受信するように構成された登録要求受信ユニットと、
前記ＰＤＦの前記アドレス指定情報を含む前記登録要求を受信した後に、前記ＰＤＦの前記アドレス指定情報を登録するように構成された前記登録ユニットと、
をさらに備える、請求項１０に記載のネットワーク構成要素。
【請求項１２】
前記ＰＤＦを割り当てるように構成された割当ユニットと、
前記割り当てられたＰＤＦのＩＤ情報、および前記ＵＥ・ＩＤに従って、前記ＰＤＦの前記アドレス指定情報を登録するように構成された前記登録ユニットと、
をさらに備える、請求項１０に記載のネットワーク構成要素。
【請求項１３】
ポリシ管理エンティティ（ＰＭＥ）と、第２のネットワーク構成要素（ＮＥ）とを備えるネットワークシステムであって、
前記ＰＭＥが、ユーザ装置識別子（ＵＥ・ＩＤ）を含むポリシ決定機能（ＰＤＦ）割当要求を第２のＮＥから受信し、前記ＰＤＦの予め登録されたアドレス指定情報に従って、前記ＵＥ・ＩＤに関連するＰＤＦのＩＤ情報を得るように構成され、前記ＰＤＦの前記アドレス指定情報が、前記ＵＥ・ＩＤと、前記ＰＤＦの前記ＩＤ情報の間の関連付けであり、前記ＵＥ・ＩＤに関連する前記ＰＤＦが、第１のＮＥによりアクセスされ、前記ＰＭＥが、前記ＰＤＦの前記得られたＩＤ情報を前記第２のＮＥに送信するように構成され、
前記第２のＮＥが、前記ＰＤＦ割当要求を前記ＰＭＥに送信し、前記ＰＭＥから送信された前記ＰＤＦの前記ＩＤ情報を受信するように構成されたネットワークシステム。
【請求項１４】
第１のＮＥをさらに備え、
前記第１のＮＥが、前記ＰＤＦの前記アドレス指定情報を含む登録要求を前記ＰＭＥに送信するように構成され、
前記ＰＭＥが、前記登録要求を受信した後に、前記ＰＤＦの前記アドレス指定情報を登録するようにさらに構成された、
請求項１３に記載のネットワークシステム。
【請求項１５】
第１のＮＥをさらに備え、
前記第１のＮＥが、ＰＤＦ割当要求を前記ＰＭＥに送信するように構成され、
前記ＰＭＥが、前記受信されたＰＤＦ割当要求でＵＥ・ＩＤに従って、ＰＤＦのアドレス指定情報が全く登録されていないと判断したときに、ＰＤＦを前記第１のＮＥに割り当て、前記割り当てられたＰＤＦの前記アドレス指定情報を登録するようにさらに構成された、
請求項１３に記載のネットワークシステム。
【国際調査報告】
2010541344.tif 000017
2010541344.tif 000018
2010541344.tif 000019
2010541344.tif 000020